(57)【特許請求の範囲】
【請求項１】
シートの搬送路を開放する開閉部材が装置本体側の所定の閉じ位置に対して開閉可能に設けられたシート搬送装置であって、
前記装置本体と前記開閉部材のうちの一方に設けられた中空部材と、前記装置本体と前記開閉部材のうちの他方に設けられ、前記中空部材と嵌合する軸部材とを備え、前記開閉部材を前記装置本体に対して回動可能に支持する支点手段を有し、
前記開閉部材の前記閉じ位置に対する回動角度に応じて前記中空部材と前記軸部材の嵌合状態を変更することにより、
前記開閉部材が前記閉じ位置に対して所定の角度を超えて開かれた状態における前記開閉部材の回動方向以外の移動の規制、及び前記開閉部材が前記閉じ位置に対して所定の角度以内に閉じられた状態における前記回動方向以外の移動規制の解除を行うことを特徴とするシート搬送装置。
【請求項２】
前記中空部材は、内周が第一の規制領域と前記第一の規制領域より半径の小さい第二の規制領域で構成され、前記軸部材は、外周が第一の規制部と前記第一の規制部より半径の小さい第二の規制部で構成され、
前記開閉部材が前記閉じ位置に対して所定の角度を超えて開かれた状態では、前記第一の規制部が前記第一の規制領域に当接するとともに、前記第二の規制部が前記第二の規制領域に当接して前記開閉部材の回動方向以外の移動が規制され、
前記開閉部材が前記閉じ位置に対して所定の角度以内に閉じられた状態では、前記第一の規制部が前記第一の規制領域に当接し、前記第二の規制部は前記第一の規制領域と所定の間隔をもって対向することによって前記回動方向以外の移動規制が解除されることを特徴とする請求項１に記載のシート搬送装置。
【請求項３】
前記中空部材は、内周が第一の規制領域と前記第一の規制領域より半径の小さい第二の規制領域で構成され、前記軸部材は、同じ半径の複数の規制部で外周が構成され、
前記開閉部材が前記閉じ位置に対して所定の角度を超えて開かれた状態では、全ての規制部が前記第二の規制領域に当接して前記開閉部材の回動方向以外の移動が規制され、
前記開閉部材が前記閉じ位置に対して所定の角度以内に閉じられた状態では、前記複数の規制部のうち少なくとも１つの規制部が前記第一の規制領域と所定の間隔をもって対向することによって前記回動方向以外の移動規制が解除されることを特徴とする請求項１に記載のシート搬送装置。
【請求項４】
前記中空部材は、内周の一部が弾性体で構成され、前記軸部材は、同じ半径の複数の規制部で外周が構成され、
前記開閉部材が前記閉じ位置に対して所定の角度を超えて開かれた状態では、全ての規制部が前記弾性体以外の領域に当接して前記開閉部材の回動方向以外の移動が規制され、
前記開閉部材が前記閉じ位置に対して所定の角度以内に閉じられた状態では、前記複数の規制部のうち少なくとも１つの規制部が前記弾性体と当接することによって前記回動方向以外の移動規制が解除されることを特徴とする請求項１に記載のシート搬送装置。
【請求項５】
前記中空部材は、撓むことが可能なアーム部で内周の一部が構成され、前記軸部材は、同じ半径の複数の規制部で外周が構成され、
前記開閉部材が前記閉じ位置に対して所定の角度を超えて開かれた状態では、全ての規制部が前記アーム部以外の領域に当接して前記開閉部材の回動方向以外の移動が規制され、
前記開閉部材が前記閉じ位置に対して所定の角度以内に閉じられた状態では、前記複数の規制部のうち少なくとも１つの規制部が前記アーム部と当接することによって前記移動規制が解除されることを特徴とする請求項１に記載のシート搬送装置。
【請求項６】
前記開閉部材が前記閉じ位置に対して閉じられた時に、前記開閉部材を前記装置本体に対して位置決め固定する位置決め部を有することを特徴とする請求項１乃至５のいずれか１項に記載のシート搬送装置。
【請求項７】
シートに画像を形成する画像形成部を有し、シートの搬送路を開放する開閉部材が装置本体側の所定の閉じ位置に対して開閉可能に設けられた画像形成装置であって、
前記装置本体と前記開閉部材のうちの一方に設けられた中空部材と、前記装置本体と前記開閉部材のうちの他方に設けられ、前記中空部材と嵌合する軸部材とを備え、前記開閉部材を前記装置本体に対して回動可能に支持する支点手段を有し、
前記開閉部材の前記閉じ位置に対する回動角度に応じて前記中空部材と前記軸部材の嵌合状態を変更することにより、
前記開閉部材が前記閉じ位置に対して所定の角度を超えて開かれた状態における前記開閉部材の回動方向以外の移動の規制、及び前記開閉部材が前記閉じ位置に対して所定の角度以内に閉じられた状態における前記回動方向以外の移動規制の解除を行うことを特徴とする画像形成装置。
【請求項８】
前記中空部材は、内周が第一の規制領域と前記第一の規制領域より半径の小さい第二の規制領域で構成され、前記軸部材は、外周が第一の規制部と前記第一の規制部より半径の小さい第二の規制部で構成され、
前記開閉部材が前記閉じ位置に対して所定の角度を超えて開かれた状態では、前記第一の規制部が前記第一の規制領域に当接するとともに、前記第二の規制部が前記第二の規制領域に当接して前記開閉部材の回動方向以外の移動が規制され、
前記開閉部材が前記閉じ位置に対して所定の角度以内に閉じられた状態では、前記第一の規制部が前記第一の規制領域に当接し、前記第二の規制部は前記第一の規制領域と所定の間隔をもって対向することによって前記回動方向以外の移動規制が解除されることを特徴とする請求項７に記載の画像形成装置。
【請求項９】
前記中空部材は、内周が第一の規制領域と前記第一の規制領域より半径の小さい第二の規制領域で構成され、前記軸部材は、同じ半径の複数の規制部で外周が構成され、
前記開閉部材が前記閉じ位置に対して所定の角度を超えて開かれた状態では、全ての規制部が前記第二の規制領域に当接して前記開閉部材の回動方向以外の移動が規制され、
前記開閉部材が前記閉じ位置に対して所定の角度以内に閉じられた状態では、前記複数の規制部のうち少なくとも１つの規制部が前記第一の規制領域と所定の間隔をもって対向することによって前記回動方向以外の移動規制が解除されることを特徴とする請求項７に記載の画像形成装置。
【請求項１０】
前記中空部材は、内周の一部が弾性体で構成され、前記軸部材は、同じ半径の複数の規制部で外周が構成され、
前記開閉部材が前記閉じ位置に対して所定の角度を超えて開かれた状態では、全ての規制部が前記弾性体以外の領域に当接して前記開閉部材の回動方向以外の移動が規制され、
前記開閉部材が前記閉じ位置に対して所定の角度以内に閉じられた状態では、前記複数の規制部のうち少なくとも１つの規制部が前記弾性体と当接することによって前記回動方向以外の移動規制が解除されることを特徴とする請求項７に記載の画像形成装置。
【請求項１１】
前記中空部材は、撓むことが可能なアーム部で内周の一部が構成され、前記軸部材は、同じ半径の複数の規制部で外周が構成され、
前記開閉部材が前記閉じ位置に対して所定の角度を超えて開かれた状態では、全ての規制部が前記アーム部以外の領域に当接して前記開閉部材の回動方向以外の移動が規制され、
前記開閉部材が前記閉じ位置に対して所定の角度以内に閉じられた状態では、前記複数の規制部のうち少なくとも１つの規制部が前記アーム部と当接することによって前記回動方向以外の移動規制が解除されることを特徴とする請求項７に記載の画像形成装置。
【請求項１２】
前記開閉部材が前記閉じ位置に対して閉じられた時に、前記開閉部材を前記装置本体に対して位置決め固定する位置決め部を有することを特徴とする請求項７乃至１１のいずれか１項に記載の画像形成装置。
【発明の詳細な説明】
【技術分野】
【０００１】
本発明は、シートの搬送路を開放する開閉部材が装置本体側の所定の閉じ位置に対して開閉可能に設けられたシート搬送装置及び画像形成装置に関するものである。
【背景技術】
【０００２】
従来、複写機、プリンタ、ファクシミリ等の画像形成装置や、これに接続される後処理装置、給送装置、画像読取装置などのシート搬送装置においては、装置の一部に開閉可能なドアが取り付けられている。例えば、特許文献１に開示されている画像形成装置では、シートの搬送路を開放するドアが回動可能に取り付けられている。装置内部でシートジャムが発生した場合に、前述のドアを開くことによってシートの搬送路が開放されて、そのジャムしたシートを取り除くことができる。
【０００３】
【特許文献１】特開２００２−１９３４５９号公報（図６）
【発明の開示】
【発明が解決しようとする課題】
【０００４】
前記ドアは、装置本体に対して回動支点を中心に回動可能に取り付けられており、装置本体に対するドアの位置はその支点によって決められている。そのため、ドアの支点の位置が部品精度や組立誤差などによってずれると、ドアを閉じたときに、ドアとその周りのカバーとの隙間が不均一になったり、段差が発生したりするなど、製品の質感が低下する問題があった。一方、前記ドアの支点に前述のずれを許容するための遊び（ある程度のガタ）を設けると、ドアを開閉したときに、そのドアががたついてしまい、製品の質感が低下する問題があった。
【０００５】
本発明の目的は、簡単で安価な構成によって、ドアを閉じたときには回動支点による規制を解除してドアとその周辺の部材との位置決めが可能で、ドアを開いたときには回動中のドアにガタツキのないシート搬送装置及び画像形成装置を提供することである。
【課題を解決するための手段】
【０００６】
上記目的を達成するための本発明は、シートの搬送路を開放する開閉部材が装置本体側の所定の閉じ位置に対して開閉可能に設けられたシート搬送装置であって、前記装置本体と前記開閉部材のうちの一方に設けられた中空部材と、前記装置本体と前記開閉部材のうちの他方に設けられ、前記中空部材と嵌合する軸部材とを備え、前記開閉部材を前記装置本体に対して回動可能に支持する支点手段を有し、前記開閉部材の前記閉じ位置に対する回動角度に応じて前記中空部材と前記軸部材の嵌合状態を変更することにより、前記開閉部材が前記閉じ位置に対して所定の角度を超えて開かれた状態における前記開閉部材の回動方向以外の移動の規制、及び前記開閉部材が前記閉じ位置に対して所定の角度以内に閉じられた状態における前記回動方向以外の移動規制の解除を行うことを特徴とする。
【０００７】
また上記目的を達成するための本発明は、シートに画像を形成する画像形成部を有し、シートの搬送路を開放する開閉部材が装置本体側の所定の閉じ位置に対して開閉可能に設けられた画像形成装置であって、前記装置本体と前記開閉部材のうちの一方に設けられた中空部材と、前記装置本体と前記開閉部材のうちの他方に設けられ、前記中空部材と嵌合する軸部材とを備え、前記開閉部材を前記装置本体に対して回動可能に支持する支点手段を有し、前記開閉部材の前記閉じ位置に対する回動角度に応じて前記中空部材と前記軸部材の嵌合状態を変更することにより、前記開閉部材が前記閉じ位置に対して所定の角度を超えて開かれた状態における前記開閉部材の回動方向以外の移動の規制、及び前記開閉部材が前記閉じ位置に対して所定の角度以内に閉じられた状態における前記回動方向以外の移動規制の解除を行うことを特徴とする。
【発明の効果】
【０００８】
本発明によれば、開閉部材を閉じ位置に対して所定の角度以内に移動したときには、開閉部材は回動方向以外への移動規制が解除されるため、部品精度や組立誤差にかかわらず、開閉部材とその閉じ位置周辺の部材との位置決めが可能となる。一方、開閉部材を閉じ位置から所定の角度を超えて開いたときには、開閉部材は回動方向以外への移動が規制されるため、開閉部材の回動中のガタツキによる質感の低下を防止できる。よって、簡単で安価な構成によって、製品の質感が低下することのない開閉部材を有するシート搬送装置及び画像形成装置を提供することができる。
【発明を実施するための最良の形態】
【０００９】
次に図面を参照して、本発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１０】
〔第１実施形態〕
まず図２を用いて画像形成装置の概略構成について説明する。図２は画像形成装置を示す概略断面図である。
【００１１】
図２に示すように、画像形成装置本体１においては、給送カセット２に複数枚積載されたシート３を、給送ローラ４及び分離搬送ローラ５で１枚ずつ分離給送して、搬送ガイド６に沿って画像形成プロセスユニット７へ搬送する。
【００１２】
画像形成プロセスユニット７は電子写真方式によって画像（トナー像）を形成する画像形成部である。具体的には、帯電させた像担持体としての感光ドラム８にレーザスキャナ９が光照射して画像を形成し、トナーを用いて前記画像を現像し、該トナー像をシートへ転写するものである。
【００１３】
感光ドラム８からトナー像が転写されたシートを、定着器１０へ搬送して熱及び圧力を印加することで画像定着が行われる。
【００１４】
画像定着されたシートは、搬送路１１に沿って排出ローラ１２へと搬送され、排出ローラ１２によって積載トレイ１３に排出される。
【００１５】
画像形成装置本体１には、所定の閉じ位置でシートの搬送路１１を形成し、シートのジャム処理を行うために、シートの搬送路１１を開放する開閉部材としてのジャム処理ドア２０が開閉可能に設けられている。ジャム処理ドア２０は、搬送路１１のジャム処理を行うための開閉部材であり、図３に示すように支点部２１を中心に回動可能である。支点部２１は、ジャム処理ドア２０を画像形成装置本体１に対して回動可能に支持する支点手段である。また、ジャム処理ドア２０にはシートの搬送路１１の一部を形成する搬送ガイドとしての複数のリブ２２が設けられている。このリブ２２はジャム処理ドア２０を図２に示す閉じ位置に移動したときに画像形成装置本体１側の搬送ガイド２３に設けられたスリット２４の間に入ることによって、これらのガイドが滑らかに繋がり、シートが搬送中に引っ掛かったりすることを防止している。
【００１６】
ここで、図１を用いて、ジャム処理ドア２０を画像形成装置本体１に対して回動可能に支持する支点部２１（図３）について説明する。図１（ａ）はジャム処理ドア２０を画像形成装置本体１側の閉じ位置に対して所定の角度以内に移動したときの支点部２１を示し、図１（ｂ）はジャム処理ドア２０を閉じ位置に対して所定の角度を超えて開いたときの支点部２１を示している。
【００１７】
ジャム処理ドア２０の支点部２１は、図１に示すように画像形成装置本体１に設けられた穴２５と、ジャム処理ドア２０に設けられた軸２６が嵌合することによって、ジャム処理ドア２０を画像形成装置本体１に対して回動可能に支持している。図１（ａ）、図１（ｂ）に示すように、前記穴２５は、ジャム処理ドア２０の回動（開閉）方向において、内周が第一の規制領域Ａと前記第一の規制領域Ａより半径の小さい第二の規制領域Ｂで構成された中空部材である。前記軸２６は、ジャム処理ドア２０の回動方向において、外周が第一の規制部Ｃと前記第一の規制部Ｃより半径の小さい第二の規制部Ｄで構成された軸部材である。画像形成装置本体１側の穴２５の形状は、前記規制領域Ａ，Ｂが周方向に沿って交互に設けられ、かつ対となる規制領域Ａ，Ａ及び規制領域Ｂ，Ｂが対向して設けられた形状となっている。またジャム処理ドア２０側の軸２６の形状（ここではひし形状）は、前記規制領域Ａ，Ｂに対応するように、前記規制部Ｃ，Ｄが周方向に沿って交互に設けられ、かつ対となる規制部Ｃ，Ｃ及び規制部Ｄ，Ｄが対向して設けられた形状となっている。規制領域Ａ，Ｂの配置と規制部Ｃ，Ｄの形状は各々が対応していればよく、軸２６の形状はひし形状に限らず、六角形状、あるいは八角形状でもよい。
【００１８】
ジャム処理ドア２０が閉じ位置に閉じられた状態では、図１（ａ）に示すように、軸２６の第一の規制部Ｃのみが穴２５の第一の規制領域Ａに当接し、軸２６の第二の規制部Ｄは穴２５の第二の規制領域Ｂとの当接が解除されて第一の規制領域Ａと所定の間隔をもって対向する。これにより、第二の規制部Ｄと第一の規制領域Ａの対向位置にて、軸２６と穴２５の間に隙間ができ、ジャム処理ドア２０は回動方向以外の一方向（矢印Ｅ方向）への移動が可能となる。すなわち、ジャム処理ドア２０が閉じ位置に対して所定の角度以内に閉じられた状態では、ジャム処理ドア２０は矢印Ｅ方向の移動規制が解除される。
【００１９】
一方、ジャム処理ドア２０が閉じ位置に対して所定の角度を超えて開かれた状態では、図１（ｂ）に示すように、軸２６の第一の規制部Ｃが穴２５の第一の規制領域Ａに当接するとともに、軸２６の第二の規制部Ｄが穴２５の第二の規制領域Ｂに当接する。これにより、ジャム処理ドア２０は回動方向以外の移動が規制される。このように、閉じ位置に対するジャム処理ドア２０の回動角度の応じて穴２５と軸２６の嵌合状態を変更することによってジャム処理ドア２０の回動方向以外の移動の規制、及び移動規制の解除が行われる。
【００２０】
上記構成の支点部２１によって、ジャム処理ドア２０が閉じ位置に対して所定の角度以内に閉じられた状態では、支点部２１での回動方向以外への移動規制が解除される。図３に示すようにジャム処理ドア２０には突起部２７が設けられており、ジャム処理ドア２０が閉められた状態で画像形成装置本体１側に設けられた穴２８と嵌合する。この突起部２７と穴２８は、ジャム処理ドア２０が閉じ位置に閉じられた時に、ジャム処理ドア２０を画像形成装置本体１に対して位置決め固定する位置決め部である。この突起部２７と穴２８の嵌合時には、支点部２１での移動規制が解除されている。このため、支点部２１との間でジャム処理ドア２０に負荷がかかって変形することがなく、周囲のカバーとの隙間やシートの搬送ガイドを支点部２１の嵌合以外で位置決めすることができる。
【００２１】
また、図４（ａ）に示すように、支点部２１が回動方向以外への移動が規制された状態では、ジャム処理ドア２０の開閉時におけるリブ２２の先端部の軌跡は、破線に示すようにスリット２４に干渉する（図中２９の部分）。しかし、上記構成の支点部２１によれば、ジャム処理ドア２０を所定の角度を超えて開くまでは回動方向以外の方向への移動規制は解除されている。このため、ドア側のリブ２２と画像形成装置本体１側のスリット２４の干渉を回避するように、図４（ｂ）に示すようにジャム処理ドア２０を回動方向以外の方向（矢印方向）に移動させることができる。これにより、ジャム処理ドア２０を所定の角度以内に閉じた状態では、ガイド同士の干渉を回避するようジャム処理ドア２０を回動させることができる。また、ガイド同士の干渉を回避するために支点の位置が装置の外側に出っ張ったりして外観の見栄えが低下するのを回避できる。
【００２２】
さらに、ジャム処理ドア２０を所定の角度を超えて開くと、支点部２１の回動方向以外の移動が規制されるため、開閉中のドアのがたつきを抑えることができ、質感を落とすことがない。
【００２３】
前述した穴２５と軸２６を有する支点部２１（図３）の他の変形例として、以下に示す構成においても本発明は有効である。図１（ｃ）、図１（ｄ）に示すように、前記穴２５は、前述した実施形態と同様に、ジャム処理ドア２０の回動（開閉）方向において、内周が第一の規制領域Ａと前記第一の規制領域Ａより半径の小さい第二の規制領域Ｂで構成された中空部材である。この変形例において前記軸２６は、ジャム処理ドア２０の回動方向において、外周が全て同じ半径を有する複数の規制部Ｆで構成された軸部材である。
【００２４】
ジャム処理ドア２０が閉じ位置に閉じられた状態では、複数の規制部Ｆのうち少なくとも１つの規制部が第一の規制領域Ａと所定の間隔をもって対向する。ここでは、図１（ｃ）に示すように、軸２６の規制部Ｆの一部である２つの規制部Ｆが穴２５の第二の規制領域Ｂに当接し、それ以外の２つの規制部Ｆは穴２５の第一の規制領域Ａと所定の間隔をもって対向する。これにより、規制部Ｆと第一の規制領域Ａの対向位置にて、軸２６と穴２５の間に隙間ができ、ジャム処理ドア２０は回動方向以外の一方向（矢印Ｅ方向）への移動が可能となる。すなわち、ジャム処理ドア２０が閉じ位置に対して所定の角度以内に閉じられた状態では、ジャム処理ドア２０は矢印Ｅ方向の移動規制が解除される。
【００２５】
一方、ジャム処理ドア２０が閉じ位置に対して所定の角度を超えて開かれた状態では、図１（ｄ）に示すように、軸２６の規制部Ｆの全てが穴２５の第二の規制領域Ｂに当接する。これにより、ジャム処理ドア２０は回動方向以外の移動が規制される。このように、閉じ位置に対するジャム処理ドア２０の回動角度の応じて穴２５と軸２６の嵌合状態を変更することによってジャム処理ドア２０の回動方向以外の移動の規制、及び移動規制の解除が行われる。
【００２６】
このように、簡単で安価な構成の支点部によって、ドアを閉じ位置に対して所定の角度以内に閉じたときにはドアの回動方向以外への移動規制が解除されて、ドアとその周辺のカバーや搬送ガイドとの位置決めが可能となる。また、ドアを閉じ位置に対して所定の角度を超えて開いたときにはドアの回動方向以外への移動が規制されて回動中のドアのガタツキによる質感の低下を防ぐことができる。
【００２７】
〔第２実施形態〕
図５を用いて、ジャム処理ドア２０を画像形成装置本体１に対して回動可能に支持する支点部（支点手段）の他の形態について説明する。図５（ａ）はジャム処理ドア２０を画像形成装置本体１側の閉じ位置に対して所定の角度以内に閉じたときの支点部を示し、図５（ｂ）はジャム処理ドア２０を閉じ位置に対して所定の角度を超えて開いたときの支点部を示している。
【００２８】
ジャム処理ドア２０の支点部７０は、図５に示すように画像形成装置本体１に設けられた穴７１と、ジャム処理ドア２０に設けられた軸７２が嵌合することによって、ジャム処理ドア２０を画像形成装置本体１に対して回動可能に支持している。前記穴７１は、ジャム処理ドア２０の回動方向において、内周の一部が弾性体であるゴム７３で構成された中空部材である。前記軸７２は、外周が同じ半径を有する複数の規制部７４で構成された軸部材である。ここでは、軸７２の形状は穴７１の内周に４ヶ所の規制部７４（７４ａ，７４ｂ）で接する四角形状を例示している。
【００２９】
ジャム処理ドア２０が閉じ位置に閉じられた状態では、図５（ａ）に示すように、一部の規制部７４ａが前記ゴム７３以外の領域（弾性体以外の内周面）に当接した状態で、他の規制部７４ｂが前記ゴム７３と当接する。これにより、他の規制部７４ｂとゴム７３の当接位置にて、ゴム７３が弾性変形することで、ジャム処理ドア２０は回動方向以外の一方向（矢印方向）への移動が可能となる。すなわち、ジャム処理ドア２０が閉じ位置に対して所定の角度以内に閉じられた状態では、ジャム処理ドア２０は矢印方向の移動規制が解除される。
【００３０】
一方、ジャム処理ドア２０が画像形成装置本体１に対して所定の角度を超えて開かれた状態では、図５（ｂ）に示すように、軸７２の全ての規制部７４が前記ゴム７３以外の領域（弾性体以外の内周面）に当接する。これにより、ジャム処理ドア２０は回動方向以外の移動が規制される。このように、閉じ位置に対するジャム処理ドア２０の回動角度の応じて穴７１と軸７２の嵌合状態を変更することによってジャム処理ドア２０の回動方向以外の移動の規制、及び移動規制の解除が行われる。
【００３１】
これによって、前述した形態と同じ効果を有すると同時に、前述した形態に比べてより滑らかに開閉可能なジャム処理ドアを構成することができる。本実施の形態において、弾性体としてのゴム７３は穴７１の内周の対向する２箇所に設けられているが、これに限らず少なくとも１箇所に設けられていれば回動方向以外の移動規制が解除される。
【００３２】
〔第３実施形態〕
図６を用いて、ジャム処理ドア２０を画像形成装置本体１に対して回動可能に支持する支点部（支点手段）の他の形態について説明する。図６（ａ）はジャム処理ドア２０を画像形成装置本体１に対して所定の角度以内に閉じたときの支点部を示し、図６（ｂ）はジャム処理ドア２０を画像形成装置本体１に対して所定の角度を超えて開いたときの支点部を示している。
【００３３】
ジャム処理ドア２０の支点部８０は、図６に示すように画像形成装置本体１に設けられた穴８１と、ジャム処理ドア２０に設けられた軸８２が嵌合することによって、ジャム処理ドア２０を画像形成装置本体１に対して回動可能に支持している。前記穴８１は、ジャム処理ドア２０の一方向において、内周の一部が撓むことが可能な弾性体としてのアーム部８３で構成された中空部材である。前記軸８２は、外周が同じ半径を有する複数の規制部８４で構成された軸部材である。ここでは、軸８２の形状は穴８１の内周に４ヶ所の規制部８４（８４ａ，８４ｂ）で接する四角形状を例示している。
【００３４】
ジャム処理ドア２０が閉じられた状態では、図６（ａ）に示すように、一部の規制部８４ａが前記アーム部８３以外の領域（アーム部以外の内周面）に当接した状態で、他の規制部８４ｂが前記アーム部８３と当接する。これにより、他の規制部８４ｂとアーム部８３の当接位置にて、アーム部８３が撓むことで、ジャム処理ドア２０は回動方向以外の一方向（矢印方向）への移動が可能となる。すなわち、ジャム処理ドア２０が画像形成装置本体１に対して所定の角度以内に閉じられた状態では、ジャム処理ドア２０は矢印方向の移動規制が解除される。
【００３５】
一方、ジャム処理ドア２０が画像形成装置本体１に対して所定の角度を超えて開かれた状態では、図６（ｂ）に示すように、軸８２の全ての規制部８４が前記アーム部８３以外の領域（アーム部以外の内周面）に当接する。これにより、ジャム処理ドア２０は回動方向以外の移動が規制される。このように、閉じ位置に対するジャム処理ドア２０の回動角度の応じて穴８１と軸８２の嵌合状態を変更することによってジャム処理ドア２０の回動方向以外の移動の規制、及び移動規制の解除が行われる。
【００３６】
これによって、前述した形態と同じ効果を有すると同時に、前述した形態に比べてより安価なジャム処理ドアを構成することができる。本実施の形態において、弾性体としてのアーム部８３は穴８１の内周の対向する２箇所に設けられているが、これに限らず少なくとも１箇所に設けられていれば回動方向以外の移動規制が解除される。
【００３７】
〔他の実施形態〕
前述した形態では、画像形成装置本体１に設けられた開閉部材を例示して説明したが、これに限定されるものではない。例えば、画像形成装置本体１に接続される画像読取装置、シート給送装置、フィニッシャなどシート処理装置などのシート搬送装置の開閉部材であっても良い。
【００３８】
ここでは、シート搬送装置として、画像形成装置本体１に接続されるシート処理装置を例示して説明する。図７に示すように、シート処理装置４７は画像形成装置本体１の側面に接続される。
【００３９】
図７に示す画像形成装置は、前述した画像形成装置とほぼ同様の構成であり、同等の機能を有する部材には同一の符号を付し説明は省略する。この画像形成装置本体１には、定着器１０の下流側に搬送路切替部材３１が設けられ、フェイスアップ搬送路３２と、シートの上下を反転するスイッチバック搬送路３３のどちらかにシートの搬送方向が切り替えられる。
【００４０】
スイッチバック搬送路３３に送られたシートは、スイッチバック搬送ローラ３４によってシートの後端が反転切替部材３５を過ぎるまで搬送される。その後、スイッチバック搬送ローラ３４が逆回転することによって、前記シートはこれまでの後端側を先端側として上下反転した状態で搬送される。このとき、反転切替部材３５が切り替わることによって、反転されたシートはフェイスダウン搬送路３６に送られる。
【００４１】
フェイスアップ搬送路３２とフェイスダウン搬送路３６は、排出ローラ３７の手前で合流している。よって、フェイスアップ搬送路３２に案内されたシートと、スイッチバック搬送路３３からフェイスダウン搬送路３６を通過したシートは、どちらも排出ローラ３７によって画像形成装置本体１から排出される。
【００４２】
なお、画像形成装置本体１の上部には画像読取装置３８が接続されており、画像読取装置３８はスキャナ部３９と自動原稿給送部（以下、ＡＤＦという）４０とからなる。ＡＤＦ４０は原稿積載トレイ４１上に積載される複数枚の原稿を給送ローラ４２により１枚ずつ分離給送して、スキャナ部３９の光学キャリッジ４５が停止している原稿読取位置４３を通過させるものである。また、ＡＤＦ４０は装置後方の不図示のヒンジを中心に後方に開閉可能であり、原稿台ガラス４４上に原稿を載置する場合に開閉する。
【００４３】
スキャナ部３９は、移動可能な光学キャリッジ４５を備え、原稿の記載情報を読み取るものである。スキャナ部３９では、原稿台ガラス４４上に載置された原稿を光学キャリッジ４５が水平方向に走査しながら原稿記載情報を読み取り、ＣＣＤ４６で光電変換する。また、前述したＡＤＦ４０による原稿読取の際は、前述したように光学キャリッジ４５は原稿読取位置４３に停止して搬送中の原稿の記載情報を読み取る。
【００４４】
シート処理装置４７は画像形成装置本体１の側面に接続され、排出ローラ３７によって画像形成装置本体１より排出されたシートを受け取ってステイプル処理を行う。シートが画像形成装置本体１から排出されると、シート処理装置４７の入口に設けられた切替部材４８によってシートはステイプル搬送路４９又は振り分け搬送路５０に送られる。ステイプル搬送路４９に送られたシートは中間搬送ローラ５１によって搬送され、一旦中間積載部５２に積載される。中間積載部５２に積載されたシートは、シート幅方向の両側に配置されシート搬送方向と直交する方向に移動可能な幅方向整合ジョガー５３によって搬送方向と直交する方向の整合が行われ、搬送方向整合ローラ５４によって搬送方向が整合される。中間積載部５２で所定枚数のシートが整合されると、ステイプラ（不図示）によってシートが閉じられ、排出ローラ５５によって積載トレイ５６に排出される。なお、ステイプル処理を行わない場合は、中間積載部５２には積載することなく、直接積載トレイ５６に排出される。
【００４５】
切替部材４８によって振り分け搬送路５０に送られたシートは、搬送ローラ５７によって搬送され、第２切替部材５８によって再度切り替えられて、上部の２つの積載トレイ５９、６０に振り分けて積載される。
【００４６】
このシート処理装置４７には、シート処理装置内でのシートのジャム処理を行うために、シートの搬送路を開放する開閉部材としてのジャム処理ドア６１が開閉可能に設けられている。ジャム処理ドア６１は、搬送路のジャム処理を行うための開閉部材であり、図８に示すように装置後方の支点部６２を中心に、上下方向（図中矢印方向）に回動可能に設けられている。支点部６２は、ジャム処理ドア６１をシート処理装置４７に対して回動可能に支持する支点手段である。なお、この支点部６２の構成は、図１、図５、図６を用いて例示した支点部のいずれの構成であっても良い。
【００４７】
上記構成の支点部６２によって、ジャム処理ドア６１がシート処理装置４７に対して所定の角度以内に閉められた状態では、支点部６２での回動方向以外（装置の手前奥方向）への移動規制が解除される。図８に示すようにジャム処理ドア６１には突起部６３ａが設けられており、ジャム処理ドア６１が閉められた状態でシート処理装置４７側に設けられた穴６３ｂと嵌合する。この突起部６３ａと穴６３ｂは、ジャム処理ドア６１が閉められた時に、ジャム処理ドア６１をシート処理装置４７に対して位置決め固定する位置決め部である。この突起部６３ａと穴６３ｂの嵌合時には、支点部６２での移動規制が解除されている。このため、位置決め部６３ａ，６３ｂによってジャム処理ドア６１は周囲のカバー６４に対して位置決めされる。
【００４８】
ジャム処理ドア６１は装置手前である正面側の外装カバーの一部を成している。このため、カバー６４との隙間がずれたり、段差が生じたりすると非常に目立ち、製品の質感が低下してしまうが、上記構成により装置正面側にてジャム処理ドア６１とカバー６４を直接位置決めすることができる。これにより、装置正面側のカバーを正確に位置合わせし、部品精度などによる外装のズレはより目立たない装置奥側となる背面側で処理することが可能である。
【００４９】
一方、ジャム処理ドア６１がシート処理装置４７に対して所定の角度を超えて開かれると、支点部６２の回動方向以外の移動が規制されるため、開閉中のドアのがたつきが抑えることができ、質感を落とすことがない。
【００５０】
このように、簡単で安価な構成の支点部によって、ドアを所定の角度以内に閉じたときにはドアの回動方向以外への移動規制が解除されて、ドアとその周辺のカバーや搬送ガイドとの位置決めが可能となる。また、ドアを所定の角度を超えて開いたときにはドアの回動方向以外への移動が規制されて回動中のドアのガタツキによる質感の低下を防ぐことができる。
【００５１】
なお、前述した形態では、支点手段を構成する中空部材をシート処理装置４７側に設け、軸部材を開閉部材側に設けた構成を例示したが、これに限定されるものではなく、中空部材を開閉部材側に設け、軸部材をシート処理装置４７側に設けた構成であっても良い。
【００５２】
前述した形態では、画像形成装置に接続されるシート搬送装置として、フィニッシャ等のシート処理装置を例示したが、これに限定されるものではなく、シート給送装置や画像読取装置等のシート搬送装置に本発明を適用しても同様の効果を得ることができる。
【図面の簡単な説明】
【００５３】
【図１】第１実施形態に係るジャム処理ドアの支点部の説明図
【図２】画像形成装置の側断面図
【図３】画像形成装置の斜視図
【図４】ジャム処理ドアの開閉時の支点部の説明図
【図５】第２実施形態に係るジャム処理ドアの支点部の説明図
【図６】第３実施形態に係るジャム処理ドアの支点部の説明図
【図７】画像形成装置及びシート処理装置の側断面図
【図８】画像形成装置及びシート処理装置の斜視図
【符号の説明】
【００５４】
Ａ    …第一の規制領域
Ｂ    …第二の規制領域
Ｃ    …第一の規制部
Ｄ    …第二の規制部
１    …画像形成装置
７    …画像形成プロセスユニット
１１  …搬送路
２０，６１ …ジャム処理ドア
２１，６２，７０，８０ …支点部
２５，７１，８１ …穴
２６，７２，８２ …軸
２７，６３ａ …突起部
２８，６３ｂ …穴
７３  …ゴム
７４，８４ …規制部
８３  …アーム部
【図１】
0005046988.tif 000002
【図２】
0005046988.tif 000003
【図３】
0005046988.tif 000004
【図４】
0005046988.tif 000005
【図５】
0005046988.tif 000006
【図６】
0005046988.tif 000007
【図７】
0005046988.tif 000008
【図８】
0005046988.tif 000009